(57)【要約】      （修正有）【課題】帯域幅が広い即ち転送レートが速い、混線防止性能が強い、新たなＳＡＳコネクタを提供する。【解決手段】ＳＡＳコネクタはオス部材、メス部材及びＰＣＢを含み、オス部材は、メス部材と接合可能であり、ＰＣＢはオス部材とメス部材の間に係止される。オス信号端子はオス対称型１２１、オス右寄型１２２及びオス左寄型１２３を含み、オス信号端子には、オス対称型１２１とオス右寄型１２２とオス左寄型１２３が並んだ状態で複数直列に配列され、メス信号端子は、メス対称型、メス右寄型とメス左寄型を含み、メス信号端子には、メス対称型、メス右寄型とメス左寄型が順番に並んで複数配列される。【選択図】図２
0003202006.tif 000002
【実用新案登録請求の範囲】
【請求項１】
ＳＡＳコネクタであって、
オスハウジング及びオス信号端子を含むオス部材と、
メスハウジング及びメス信号端子を含むメス部材と、
ＰＣＢとを備えており、
前記オス部材が前記メス部材と接合可能であり、前記ＰＣＢは前記オス部材と前記メス部材との間に係止され、
前記オス信号端子は、前記オスハウジングにインサート成形され、オス対称型、オス右寄型及びオス左寄型を含み、前記オス信号端子には、オス対称型とオス右寄型とオス左寄型とが順番に並んで複数配列され、
前記メス信号端子は、前記メスハウジングにインサート成形され、メス対称型、メス右寄型及びメス左寄型を含み、前記メス信号端子には、メス対称型とメス右寄型とメス左寄型とが順番に並んで複数配列されている
ことを特徴とするＳＡＳコネクタ。
【請求項２】
請求項１に記載のＳＡＳコネクタにおいて、
前記メス部材は、メス電源端子、第１導電性接着部材及び第２導電性接着部材を含み、前記メスハウジングは、メス信号端子区とメス電源端子区を含み、
前記メス信号端子が前記メス信号端子区にインサート成形され、前記メス電源端子が前記メス電源端子区にインサート成形されており、
前記メス電源端子は左右対称であり、
前記第１導電性接着部材及び前記第２導電性接着部材は、それぞれ前記メス信号端子区の外に貼り付けられてアース端子に導通される
ことを特徴とするＳＡＳコネクタ。
【請求項３】
請求項２に記載のＳＡＳコネクタにおいて、
前記オス部材はオス電源端子を備えており、前記オス電源端子は左右対称である
ことを特徴とするＳＡＳコネクタ。
【請求項４】
請求項３に記載のＳＡＳコネクタにおいて、
前記オスハウジングはオス信号端子区とオス電源端子区を含み、
前記オス信号端子は前記オス信号端子区にインサート成形され、前記オス電源端子は前記オス電源端子区にインサート成形されている
ことを特徴とするＳＡＳコネクタ。
【考案の詳細な説明】
【技術分野】
【０００１】
本考案は、シリアルコネクタに関して、具体的にＳＡＳコネクタに関する。
【背景技術】
【０００２】
ＳＡＳ（Serial Attached SCSI、シリアルSCSI技術また序列SCSI技術）はパラレルSCSI物理記憶インタフェースを基に、ANSI INCITST１０技術委員会（T１０ committee）により開発及びメンテナンスされた新しい記憶インタフェース規格である。パラレルSCSIと比べて、ＳＡＳは更に速い通信転送レート及びより簡単な配置を提供することができる。また、ＳＡＳはシリアルATA（SATA）デバイスに接続することを許容し、それに両者に対し、同様のケーブルを使用できる。
【考案の概要】
【考案が解決しようとする課題】
【０００３】
しかしながら、現有のＳＡＳコネクタはまだいろいろ改善される余地があり、例えば、
（１）データ記憶の需要の増加につれてCPU性能（クロック周波数）が高まり、上昇時間が縮まったものの、コネクタの帯域幅、即ち転送レートがその市場需要に応じることができていない
（２）信号が高い周波数と高い帯域幅にある又は極短に上昇すると、コネクタに混線問題が発生しやすい
という問題がある。
【０００４】
本考案は、かかる点に鑑みてなされたものであり、その目的とするところは、帯域幅が広い即ち転送レートが速い、混線防止性能が強い、ＳＡＳコネクタを提供することにある。
【課題を解決するための手段】
【０００５】
上記の目的を達成するために、第１の考案では、
ＳＡＳコネクタであって、
オスハウジング及びオス信号端子を含むオス部材と、
メスハウジング及びメス信号端子を含むメス部材と、
ＰＣＢとを備えており、
前記オス部材が前記メス部材と接合可能であり、前記ＰＣＢは前記オス部材と前記メス部材との間に係止され、
前記オス信号端子は、前記オスハウジングにインサート成形され、オス対称型、オス右寄型及びオス左寄型を含み、前記オス信号端子には、オス対称型とオス右寄型とオス左寄型とが順番に並んで複数配列され、
前記メス信号端子は、前記メスハウジングにインサート成形され、メス対称型、メス右寄型及びメス左寄型を含み、前記メス信号端子には、メス対称型とメス右寄型とメス左寄型とが順番に並んで複数配列される構成とする。
【０００６】
第２の考案では、第１の考案において、
前記メス部材は、メス電源端子、第１導電性接着部材及び第２導電性接着部材を含み、前記メスハウジングは、メス信号端子区とメス電源端子区を含み、
前記メス信号端子が前記メス信号端子区にインサート成形され、前記メス電源端子が前記メス電源端子区にインサート成形されており、
前記メス電源端子は左右対称であり、
前記第１導電性接着部材及び前記第２導電性接着部材は、それぞれ前記メス信号端子区の外に貼り付けられてアース端子に導通される構成とする。
【０００７】
第３の考案では、第２の考案において、
前記オス部材はオス電源端子を備えており、前記オス電源端子は左右対称とする。
【０００８】
第４の考案では、第３の考案において、
前記オスハウジングはオス信号端子区とオス電源端子区を含み、
前記オス信号端子は前記オス信号端子区にインサート成形され、前記オス電源端子は前記オス電源端子区にインサート成形される構成とする。
【０００９】
また、オスハウジングとメスハウジングともプラスチックからなっていてもよい。
【００１０】
さらに、オス部材がオス固定片を含み、メス部材がメス固定片を含む。オス固定片とメス固定片がそれぞれオスハウジングとメスハウジングの両側に係止していてもよい。オスハウジングとメスハウジングとが接合されたときには、１つのネジを同じ側のオス固定片又はメス固定片に締結できる。
【考案の効果】
【００１１】
以上説明したように、上記第１の考案によれば、パラレル方式に比べて、シリアル方式が更に速い通信転送レート及び簡単な配置を提供することができる。
【００１２】
上記第２の考案によれば、本コネクタの全体構成が改良され、特にオス部材において、射出成型の方法を採用し、それにメス部材の中の導電性接着部材の構成に合わせて、本コネクタの転送レートを上げることができ、最も早い転送レートは２２.５Gbpsに達することができる。
【００１３】
上記第３の考案によれば、オス電源端子とメス電源端子として対称型と右寄型と左寄型との非対称構成を採用し、これら３種類の端子を電源端子区に順番に複数配列して、オス電源端子とメス電源端子とが更に緊密的に接合され、他と異なるもの同士のカップリングを強めることができる。これにより、信号が高い周波数と高い帯域幅にある又は極短に上昇するときに発生しやすいコネクタの混線問題を解決することができる。
【００１４】
上記第４の考案によれば、接合時に端子が押され、導電性接着部材の構成により、端子の曲り根部が導電性接着部材に寄せられ、端子間の導通接触面を拡大して、更に混線問題を改善することができる。
【図面の簡単な説明】
【００１５】
【図１】本考案の実施形態１に係るＳＡＳコネクタを示す分解図である。
【図２】オス対称型、オス右寄型及びオス左寄型よりなるオス信号端子を示す正面図である。
【図３】導電性接着部材を拡大して示す側面図である。
【図４】本考案の実施形態２に係るＳＡＳコネクタを正面側から見た斜視図である。
【図５】本考案の実施形態２に係るＳＡＳコネクタの背面側から見た斜視図である。
【考案を実施するための形態】
【００１６】
以下、本考案の実施形態を図面に基づいて説明する。
【００１７】
（実施形態１）
図１に本考案の実施形態１に係るＳＡＳコネクタ４を示すように、このＳＡＳコネクタ４はオス部材１、メス部材２及びＰＣＢ３を含む。オス部材１は、オスハウジング１１、オス信号端子１２及びオス電源端子１３を含み、メス部材２は、メスハウジング２１、メス信号端子２２、メス電源端子２３、第１導電性接着部材２４及び第２導電性接着部材２５を含む。
【００１８】
オス部材１は、メス部材２と接合可能であり、ＰＣＢ３はオス部材１とメス部材２の間に係止される。
【００１９】
オスハウジング１１は、例えばプラスチックからなり、オス信号端子区１１１とオス電源端子区１１２を含み、メスハウジング２１は、例えばプラスチックからなり、メス信号端子区２１１とメス電源端子区２１２を含む。
【００２０】
図２に拡大して示すように、オス信号端子１２とオス電源端子１３がそれぞれオス信号端子区１１１とオス電源端子区１１２にインサート成形される。具体的に、オス信号端子１２はオス対称型１２１、オス右寄型１２２及びオス左寄型１２３を含み、オス信号端子１２には、オス対称型１２１とオス右寄型１２２とオス左寄型１２３が並んだ状態で複数組が直列に配列され、オス電源端子１３は左右対称とする。
【００２１】
図２に示すように、メス信号端子２２とメス電源端子２３がそれぞれメス信号端子区２１１とメス電源端子区２１２にインサート成形される。具体的に、メス信号端子２２がメス対称型、メス右寄型とメス左寄型を含み、メス信号端子２２には、メス対称型、メス右寄型とメス左寄型が順番に並んだ状態で複数組が配列され、メス電源端子２３は左右対称とする。
【００２２】
図３に示すように、第１導電性接着部材２４と第２導電性接着部材２５は、それぞれメス信号端子区２１１の外に貼り付けられてアース端子（図示せず）に導通可能となる。
【００２３】
以上のように構成することにより、パラレル方式に比べて、シリアル方式が更に速い通信転送レート及び簡単な配置を提供することができる。
【００２４】
ＳＡＳコネクタ４は、特にオス部材１において、射出成型の方法を採用し、またメス部材２の中の導電性接着部材２４，２５の構成により、ＳＡＳコネクタ４の転送レートを上げることができ、最も早い転送レートは２２.５Gbpsに達することができる。
【００２５】
オス電源端子１３とメス電源端子２３が対称型と右寄型と左寄型との非対称構成を採用し、これら３種類の端子をメス電源端子区２１２に順番に並べた状態で複数組配列し、オス電源端子１３とメス電源端子２３とが更に緊密的に接合され、他と異なるもの同士のカップリングを強めて、信号が高い周波数と高い帯域幅にある又は極短に上昇するときに出ているＳＡＳコネクタ４の混線問題を解決することができる。
【００２６】
図３に例示するように、接合時にメス信号端子２２が押され、その曲り根部が第１導電性接着部材２４に当接することで、メス信号端子２２間の導通接触面を拡大して、更に混線問題を改善することができる。
【００２７】
（実施形態２）
図１、図４及び図５は本考案の実施形態２に係るＳＡＳコネクタ４を示す。なお、以下の各実施形態では、図１〜図３と同じ部分については同じ符号を付してその詳細な説明は省略する。
【００２８】
図４と図５に示すように、本実施形態では、オス部材１がオス固定片１４を含み、メス部材２がメス固定片２６を含む。オス固定片１４とメス固定片２６は、それぞれオスハウジング１１とメスハウジング２１の両側に係止されている。オスハウジング１１とメスハウジング２１とが接合されたときには、１つのネジを同じ側のオス固定片１４かメス固定片２６に締結することができる。
【００２９】
なお、以上の実施形態は、本質的に好ましい例示であって、本考案、その適用物や用途の範囲を制限することを意図するものではない。
【符号の説明】
【００３０】
１      オス部材
２      メス部材
３      ＰＣＢ
４      ＳＡＳコネクタ
１１      オスハウジング
１２      オス信号端子
１３      オス電源端子
１４      オス固定片
２１      メスハウジング
２２      メス信号端子
２３      メス電源端子
２４      第１導電性接着部材
２５      第２導電性接着部材
２６      メス固定片
１１１      オス信号端子区
１１２      オス電源端子区
１２１      オス対称型
１２２      オス右寄型
１２３      オス左寄型
２１１      メス信号端子区
２１２      メス電源端子区
【図１】
0003202006.tif 000003
【図２】
0003202006.tif 000004
【図３】
0003202006.tif 000005
【図４】
0003202006.tif 000006
【図５】
0003202006.tif 000007